(57)【要約】      （修正有）【課題】  屋上緑化装置、パーゴラ等の構築物の基礎としての架台を既存防水層を通して打ち込んだアンカーボルトに連結固定して防水性能を損なうことなく所望の位置に設置するとともに、既存防水層上にさらに新規な防水層を重畳する手法により防水層補修工事を容易にする。【解決手段】  下地7と、この表面に形成される防水層6と、防水層を貫通して下地に打ち込まれたアンカー5と、このアンカーに連結固定され前記防水層上に設けられる架台装置とこれに係る増設防水層とからなり、屋上緑化装置、パーゴラその他構造物の支持手段又は基礎となる前記架台装置は基盤2と、この基盤上に固着される第１筐体3と、この第１筐体に着脱可能に嵌合固着される第２筐体4と、前記基盤との間で前記増設防水層の一部を押圧挟持する押さえ手段21と具えて構成したことを特徴とする防水層上における架台装置取り付け構造。【選択図】  図４
2006225951.tif 000002
【特許請求の範囲】
【請求項１】
下地と、この表面に形成される防水層と、防水層を貫通して下地に打ち込まれたアンカーと、このアンカーに連結固定され前記防水層上に設けられる架台装置とこれに係る増設防水層とからなり、屋上緑化装置、パーゴラその他構造物の支持手段又は基礎となる前記架台装置は基盤と、この基盤上に固着される第１筐体と、この第１筐体に着脱可能に嵌合固着される第２筐体と、前記基盤との間で前記増設防水層の一部を押圧挟持する押さえ手段と具えて構成したことを特徴とする防水層上における架台装置取り付け構造。
【請求項２】
請求項１の架台装置取り付け構造において、架台装置に係る増設防水層は既存防水層と前記基盤との間に形成される第１増設防水層と基盤および第１増設防水層とを覆うように形成される第２増設防水層とにより構成し、押さえ手段は基盤との間で前記第２増設防水層を押圧挟持するようにしたことを特徴とする防水層上における架台装置取り付け構造。
【請求項３】
請求項１又は２いずれかの記載の架台装置取り付け構造において、第１筐体と第２筐体との接合面の上方には接合面における毛細管現象により水分の浸入を遮断するためのエアスペースを設けたことを特徴とする防水層上における架台装置取り付け構造。
【請求項４】
屋上、屋根等の防水層上に設置して屋上緑化装置、パーゴラその他構造物の支持手段又は基礎となすための架台装置であって、基盤と、この基盤上に固着される第１筐体と、この第１筐体に着脱可能に嵌合固着されパーゴラその他構造物を直接支持する第２筐体、前記基盤との間で基盤を覆う増設防水層を押圧挟持する押さえ手段とを具えてなり、第１筐体と第２筐体との接合面の上方には接合面における毛細管現象により水分の浸入を遮断するためのエアスペースを設けたことを特徴とする防水層上における架台装置。
【請求項５】
請求項４記載の架台装置において、前記基盤は防水層を通して下地に打ち込んだアンカーボルトに螺合するナットにより固定し、第１筐体と第２筐体とは第１筐体の側壁に設けた袋型ネジ部とこれに第２筐体の側壁を通して前記袋型ねじ部に螺合するボルトにより、また押さえ手段と基盤はボルトナットにより固定して前記増設防水層を押圧挟持するようにしたことを特徴とする防水層における架台装置。
【請求項６】
以下の工程からなる防水層屋上、屋根等の防水層上における架台装置取り付け工法。
（イ）  防水層を有する下地に防水層を通してアンカーボルトを打ち込む工程、
（ロ）  防水層表面から突出したアンカーボルト周囲に第１増設防水層を張設するとともにアンカーボルト側部と増設した防水層との間にシーリングを施す工程、
（ハ）  請求項５記載の架台装置における第１筐体を有する基盤をアンカーボルトにナットを螺合締結して下地に基盤および第１筐体を固定する工程、
（ニ）  基盤、第１筐体の周囲ならびに前記第１増設防水層を覆う第２増設防水層を張設するとともに、第１筐体と第２増設防水層との間にシーリングを施し押さえ手段を基盤に固定して第２増設防水層を基盤に押圧挟持する工程、
（ホ）  請求項５記載の架台装置における第２筐体を前記第１筐体に嵌合するとともに第１筐体の側壁に設けた袋型ネジ部と第２筐体の側壁を通して前記袋型ねじ部に螺合するボルトにより第１および第２筐体を固着する工程。
【発明の詳細な説明】
【技術分野】
【０００１】
本願発明は、屋上、陸屋根等の既存防水層上にパーゴラその他の構築物を支持する架台装置に係る技術に関し、詳しくは新規な架台装置、これを用いての強固な防水性を維持しできかつ防水層の補修が容易である防水層上における架台装置取り付け構造ならびに架台装置の取り付け工法に関するものである。
【背景技術】
【０００２】
建築物の屋上、陸屋根、バルコニー等に敷設した既存の防水層上になんらかの構築物を安全かつ強固に設置する必要が生じる。例えば、パーゴラ、屋上緑化装置等を既存の防水層上に構築する場合などである。  このような構築物のために架台と呼ばれる基礎が設けられることが多い。このような架台は安全性の見地から防水層の下地コンクリート等に固定する必要がある。  したがって、従来はこのような架台は防水層の施工前に下地に連結固定したうえで防水層の形成をなすようにして、防水層に手を加えることを回避し防水信頼性を確保するようにしている。
【０００３】
すなわち、防水層の施工後に架台を設置しようとすれば、防水層を通して下地コンクリート等にアンカーボルトを打ち込みこれによって架台を固定しなければならない。ところが、既存防水層を通して下地にアンカーボルト等を打ち込むことは、事実上は非常に困難である。その理由は、従来から既存の防水層にいかなる形態でも孔を穿つことは防水信頼性を損なう惧れから禁忌事項とされているからである。したがって、従来は防水層上になんらかの構築物のための基礎としての架台が必要とされる場合は、防水層の形成前に下地上に設置固定しこれらを含めて防水層を被装する方法がとられている。  このため設置場所の自由性がなく、必要な場所に設置することができなかった。また、既存防水層の上にさらに防水層を張設する手法による防水層補修工事を施工することが困難である。
【０００４】
なお、本願発明と関連する一般的技術として次の文献が開示されている。
【特許文献１】特開２００１−０６５０７９号公報
【発明の開示】
【発明が解決しようとする課題】
【０００５】
本願発明が解決しようとする課題は次の通りである。
（１）既存防水層上に屋上緑化装置、パーゴラ等の構築物の基礎としての架台を既存防水層を通して打ち込んだアンカーボルトに連結固定して防水性能を損なうことなく必要に応じた所望の位置に設置すること。
（２）既存防水層上にさらに新規な防水層を重畳する手法による防水層補修工事を容易にする。
【課題を解決するための手段】
【０００６】
本願発明は、下地と、この表面に形成される防水層と、防水層を貫通して下地に打ち込まれたアンカーと、このアンカーに連結固定され前記防水層上に設けられる架台装置とこれに係る増設防水層とからなり、屋上緑化装置、パーゴラその他構造物の支持手段又は基礎となる前記架台装置は基盤と、この基盤上に固着される第１筐体と、この第１筐体に着脱可能に嵌合固着される第２筐体と、前記基盤との間で前記増設防水層の一部を押圧挟持する押さえ手段と具えて構成したことを特徴とする防水層上における架台装置取り付け構造を提供して上記課題を解決する。
【０００７】
また、上記の架台装置取り付け構造において、架台装置に係る増設防水層は既存防水層と前記基盤との間に形成される第１増設防水層と基盤および第１増設防水層とを覆うように形成される第２増設防水層とにより構成し、押さえ手段は基盤との間で前記第２増設防水層を押圧挟持するように構成することがある。
【０００８】
さらに、上記いずれかの記載の架台装置取り付け構造において、第１筐体と第２筐体との接合面の上方には接合面における毛細管現象により水分の浸入を遮断するためのエアスペースを設けて構成することがある。
【０００９】
本願発明はまた、屋上、屋根等の防水層上に設置して屋上緑化装置、パーゴラその他構造物の支持手段又は基礎となすための架台装置であって、基盤と、この基盤上に固着される第１筐体と、この第１筐体に着脱可能に嵌合固着されパーゴラその他構造物を直接支持する第２筐体、前記基盤との間で基盤を覆う増設防水層を押圧挟持する押さえ手段とを具えてなり、第１筐体と第２筐体との接合面の上方には接合面における毛細管現象により水分の浸入を遮断するためのエアスペースを設けたことを特徴とする防水層上における架台装置を提供して上記課題を解決しようとするものである。
【００１０】
また、上記の架台装置において、前記基盤は防水層を通して下地に打ち込んだアンカーボルトに螺合するナットにより固定し、第１筐体と第２筐体とは第１筐体の側壁に設けた袋型ネジ部とこれに第２筐体の側壁を通して前記袋型ねじ部に螺合するボルトにより、また押さえ手段と基盤はボルトナットにより固定して前記増設防水層を押圧挟持するように構成することがある。
【００１１】
本願発明はさらに、以下の工程からなる防水層屋上、屋根等の防水層上における架台装置取り付け工法を提供して上記従来の課題を解決しようとするものである。
（イ）防水層を有する下地に防水層を通してアンカーボルトを打ち込む工程、
（ロ）防水層表面から突出したアンカーボルト周囲に第１増設防水層を張設するとともにアンカーボルト側部と増設した防水層との間にシーリングを施す工程、
（ハ）請求項５記載の架台装置における第１筐体を有する基盤をアンカーボルトにナットを螺合締結して下地に基盤および第１筐体を固定する工程、
（ニ）基盤、第１筐体の周囲ならびに前記第１増設防水層を覆う第２増設防水層を張設するとともに、第１筐体と第２増設防水層との間にシーリングを施し押さえ手段を基盤に固定して第２増設防水層を基盤に押圧挟持する工程、
（ホ）請求項５記載の架台装置における第２筐体を前記第１筐体に嵌合するとともに第１筐体の側壁に設けた袋型ネジ部と第２筐体の側壁を通して前記袋型ねじ部に螺合するボルトにより第１および第２筐体を固着する工程。
【発明を実施するための最良の形態】
【００１２】
架台装置において、基盤はステンレス材で構成し、形状は方形が好ましい。第１筐体は基盤の中心位置に溶接されるステンレス材による上下開口する中空箱体で形成し、壁面の上端および下端には内側への折り返し縁部を具え、四方の壁面所定箇所には袋型ねじ孔が壁面と一体に形成され内側に突出している。  前記下端の折り返し部は基盤に溶接固定される。  また、押さえ手段は基盤と同形、同寸法で中央には第１筐体を通す開口部が形成され、基盤に対向して増設防水層を基盤との間で押圧挟持する。基盤と押さえ手段の固定はボルトナットの締結により行う。
【００１３】
第１筐体の外側面に嵌合する第２筐体は上面を有し下面開口の中空箱状体で四方の壁面所定箇所には第１筐体の前記袋型ねじ孔に対応する箇所にはボルト用の開口が形成されていて、第１筐体に第２筐体を嵌合してボルトの前記袋型ねじ孔への締結により両者を固定する。  この際、第２筐体の上面内側面と第１筐体の折り返し縁部との間に空隙を設けてエアスペースを形成する。このエアスペースは第１筐体と第２筐体の壁面同士の接触面に連通していて接触面における毛細管現象による水の上昇浸入を遮断するために設けられる。
【００１４】
架台装置は、施工面において防水層上に設置し、防水層の下地にアンカーボルトにより固定する。すなわち、既存防水層を通して任意の位置にアンカーボルトをコンクリート下地に打ち込み、アンカーボルト周辺に新たな防水層を形成し、突出するアンカーボルト廻りにはシーリング材を充填する。
【００１５】
次いで、アンカーボルトと架台装置の基盤裏面の開口部にアンカーボルトの突出部を通しナットで固定した上、第１筐体を除き基盤とその周囲はさらに新たな防水層を重設し、第１筐体廻りは内側、外側ともにシーリング材を手当てする。次いで、基盤に押さえ手段を被せて前記防水層を基盤との間で押圧挟持する。  そして、上述のように第１筐体と第２筐体とを嵌合固着する。
このように、アンカーボルトと既存防水層との間隙は二重、三重に防水対策が施されるからアンカーボルトの穿設による浸水の惧れはまったく無くなる。なお、上述の実施形態では、架台装置の構成部材をステンレスとしたが鉄材、塩ビ鋼板その他の金属材で形成してもよい。
【実施例】
【００１６】
図面に基づいて本願発明の１実施例を説明する。
図１ないし図３は屋上、屋根等の防水層上に設置して屋上緑化装置、パーゴラその他構造物の支持手段又は基礎となすための架台装置の構成要素を示す斜視図である。図１ないし図３に示すように架台装置１は基盤２と、この基盤２上に固着される第１筐体３と、この上に被装され基盤２に固定される押さえ手段２１、前記第１筐体３の外側に嵌合される第２筐体４とからなっている。
図１において、基盤２はステンレス材で方形に形成された板状部材であり、その四隅には図２で後述する押さえ手段２１を固定するためのボルト２ａが溶接固定されている。      
第１筐体３は基盤２の中心位置に溶接されるステンレス材による上下開口する中空箱体で形成され、壁面の上端および下端には内側への折り返し縁部３ａを具え（下端の折り返し縁部は符図示）、四方の壁面の所定箇所には袋型ねじ孔３ｂが壁面と一体に形成され内側に突出している。  前記下端の折り返し縁部（不図示）は基盤に溶接固定されている。また、基盤２において第１筐体３に囲まれる部分すなわち第１筐体の底面に対応する部分の四隅には後述のアンカーボルトの貫通孔が形成されている。
【００１７】
図２は、基盤２に被装固定されて後述の増設防水層を押圧挟持するための押さえ手段を示しており、その概形、寸法は前記基盤２と同様でステンレス材で形成されている。押さえ手段２１の四隅には基盤２の前記ボルト２ａを通すための孔部２１ａが、また中央には第１筐体３が嵌合する開口部２１ｂがそれぞれ形成されている。
【００１８】
図３は第１筐体３の外側面に嵌合する第２筐体４を示している。  この第２筐体４は上面を有し下面開口の中空箱状体で四方の壁面所定箇所には第１筐体３の前記袋型ねじ孔３ｂに対応する箇所にはボルト用の開口４ａが形成されていて、第１筐体３に第２筐体４を嵌合してボルトの前記袋型ねじ孔３ｂへの締結により両者は固定される。  この際、第２筐体４の上面内側面と第１筐体３の上端折り返し縁部３ａとの間には空隙を設けて後述のエアスペースが形成される。このエアスペースは第１筐体３と第２筐体４の壁面同士の接触面に連通していて接触面における毛細管現象による水の上昇浸入を遮断するようになっている。
【００１９】
図４は、本願発明に係る架台装置取り付け構造の１実施例を示す一部断面図であり、図において、５は既存防水層６を通してコンクリート下地７に打ち込んだアンカーボルト、８は既存防水層６上に張設した第１増設防水層である。この第１増設防水層８の上に前述の架台装置１が前記アンカーボルト５により固定されている。  すなわち、第１増設防止層８の上に第１筐体３を固定した基盤２が載置され、所定箇所に形成された前記貫通孔にアンカーボルト５が通り、ナット９の締結により基盤２と第１筐体３がコンクリート下地５に固定さている。  第１筐体３の外側には第２筐体４が嵌合され第２筐体４の外側壁面の開口４ａから第１筐体３における前記袋型ねじ孔３ｂに螺合したボルトにより固定されている。  第１筐体３の上端折り返し縁部３ａと第２筐体４の上面内側との間には間隙によりエアスペース１０が形成されている。このエアスペース１０は第１および第２の各筐体の側壁接触面の微細な空隙に連通しておりこの微細間隙における毛細管現象による水の浸入を遮断する機能を有している。
【００２０】
第１筐体３周囲には第２増設防水層１１が第１増設防水層８、基盤２を覆うように張設されている。  なお、上記の構成において必要箇所にはシーリング材が充填される。すなわち、既存防水層６上に突出するアンカーボルト５廻り、基盤２上において第１筐体３の外壁廻り等である。  そして、第２増設防水層１１を押圧挟持するように押さえ手段２１がボルト２ａ、ナット２ｂにより基盤２に固定されている。
また、第２筐体４の頂部には種々の係止手段として使うことのできるボルト４ｂを連結する。このボルト４ｂは第２筐体４の頂部にねじ部を突出させ内側部分で溶接固定されているから雨水等の浸入の惧れはない。
【００２１】
図５は、前記エアスペースに係る他の実施例を示す一部断面図である。１０Ａは第１筐体３の壁部外側と第２筐体４の壁部内側の接触面１２における毛細管現象による水の上昇を遮断もしくは停止させるためのエアスペースであり、第１筐体３の上端折り返し縁部３ａ１と第２筐体４の上面内側との間に形成される空間部で構成されている。この空間部にはさらに接触面１２方向からの水浸入の防止を確実にするためシール材１３がエアスペース１０Ａを分断するように充填されている。  なお、第１筐体３の前記上端折り返し縁部３ａ１は壁面と先端の間が段状に形成され先端部は第２筐体４の上面内側に当接されている。  なお、図６は第１筐体３の四方の壁面に一体に形成され内方に突出する前記袋型ねじ孔３ｂを示す断面図である。このようにねじ孔３ｂは壁面と一体に形成されるため外部からの水が浸入することはない。
【００２２】
次に、本願発明に係る防水層における架台装置取り付け工法の１実施例を説明する。
まず、図４に示すようにアンカーボルト５を既防水層６のコンクリート下地７に打ち込み、次いで既存防水層６上でアンカーボルト５周辺に第１増設防水層８を張設し、この防水層８上でアンカーボルト４周りにはシーリングを施す。
【００２３】
上記の工程が完了した後、基盤２（第１筐体３）等を前記第１増設防水層８上にセットしアンカーボルト５に連結してナット９により締結固定する。  次いで、第１筐体３廻りに第２増設防水層１１を重設する。  この第２増設防水層１１は基盤２、第１増設防水層８を覆うように形成されその端縁は既存防水層６に密着固定される。そして、この第２増設防水層１１の上に押さえ手段２１をセットして基盤２にボルト２ａ、ナット２ｂにより固着して基盤２に対して第２増設防水層１１を押圧挟持する。
【００２４】
そして、第１筐体３に第２筐体４を嵌合して第２筐体４の壁面の開口４ａからボルトを挿し込み第１筐体３の袋型ねじ孔３ｂに螺合して第１筐体３および第２筐体４とを固定する。なお、両者の固定時に前記エアスペース１０が形成される。また、図５に示すエアスペース１０Ａを形成するときは第２筐体４の嵌合前に第１筐体３における段状の折り返し縁部３ａ１にシール材１３を充填する。
以上のように既存防水層上に構築された架台装置は屋上等に設置される緑化装置、パーゴラ、エアコンの屋外装置等々を配置するための基礎ないしは支持手段として活用される。
この架台装置は、既存防水層上の任意の位置に自由に設置できるので屋上等における構築物の配置設定の自由度が大幅に向上し屋上の有効利用が促進される。
また、本願発明に係る架台技術は既存防水層の上にさらに新規な防水層を重設する手法による改修工事にも効果を有する。  すなわち、既存防水層上に新たな防水層を全面的に張設する場合、前記第１増設防水層、基盤、第２増設防水層等を取り外したうえで、新規防水層を張設する。  そして、この新たな既存防水層上に前記のように架台装置を簡単にしかも高い防水信頼性の下に形成することができる。
【図面の簡単な説明】
【００２５】
【図１】屋上、屋根等の防水層上に設置して屋上緑化装置、パーゴラその他構造物の支持手段又は基礎となすための架台装置を構成する基盤および第１筐体を示す斜視図である。
【図２】屋上、屋根等の防水層上に設置して屋上緑化装置、パーゴラその他構造物の支持手段又は基礎となすための架台装置を構成する押さえ手段を示す斜視図である。
【図３】屋上、屋根等の防水層上に設置して屋上緑化装置、パーゴラその他構造物の支持手段又は基礎となすための架台装置を構成する押さえ手段を示す斜視図である。
【図４】架台装置取り付け構造の１実施例を示す一部断面図である。
【図５】エアスペースに係る他の実施例を示す一部断面図である。
【図６】第１筐体３の四方の壁面に一体に形成され内方に突出する袋型ねじ孔を示す断面図である。
【符号の説明】
【００２６】
１．．．．架台装置
２．．．．基盤  
２１．．．押さえ手段
３．．．．第１筐体
３ｂ．．．袋型ねじ孔
４．．．．第２筐体
５．．．．アンカーボルト
６．．．．既存防水層
７．．．．コンクリート下地
８．．．．第１増設防水層
１０．．．．エアスペース
１１．．．．第２増設防水層
【図１】
2006225951.tif 000003
【図２】
2006225951.tif 000004
【図３】
2006225951.tif 000005
【図４】
2006225951.tif 000006
【図５】
2006225951.tif 000007
【図６】
2006225951.tif 000008